(57)【要約】【課題】凧の構成部材を自由に選択できるようにすることにより、デザイン形状の変化を楽しむとともに、飛行特性の変化を楽しむことができる凧をを提供すること。【解決手段】凧の本体１に、頭部２、主翼３の翼端５及び尾翼４を取り付ける凧において、頭部２、主翼３の翼端５及び尾翼４を予め複数種類用意しておき、これらを選択して取り付けるように構成する。【選択図】図１
2006296765.tif 000002
【特許請求の範囲】
【請求項１】
凧の本体に、頭部、主翼の翼端及び尾翼を取り付ける凧において、前記頭部、主翼の翼端及び尾翼を予め複数種類用意しておき、これらを選択して取り付けるように構成したことを特徴とする凧。
【請求項２】
本体側の骨部と、頭部、主翼の翼端及び尾翼側の骨部とを着脱可能に構成するとともに、本体側の凧紙と、頭部、主翼の翼端及び尾翼側の凧紙とを着脱可能に構成したことを特徴とする請求項１記載の凧。
【請求項３】
尾翼を遠隔操作で揺動させる駆動機構を装着したことを特徴とする請求項１又は２記載の凧。
【発明の詳細な説明】
【技術分野】
【０００１】
本発明は、凧に関し、特に、凧の構成部材を自由に選択できるようにすることにより、デザイン形状の変化を楽しむとともに、飛行特性の変化を楽しむことができる凧に関するものである。
【背景技術】
【０００２】
古来より種々の凧が考案され、用いられているが、近年では、流体力学、特に、航空力学を設計に取り入れることにより、飛行特性を改善した凧が提案されている（特許文献１参照）。
【０００３】
このような凧は、凧の本体に頭部、主翼及び尾翼を設けた、鳥のような形状をしており、頭部、主翼及び尾翼の形状により、飛行の特性が変化するという性質を有している。
【０００４】
しかしながら、上記従来の凧においては、頭部、主翼及び尾翼が本体と一体に形成されており、そのため、頭部、主翼及び尾翼の形状を容易には変化させることができず、凧の飛行特性の変化を楽しんだりするまでには至らなかった。
【特許文献１】特開２０００−２６２７７２号公報
【発明の開示】
【発明が解決しようとする課題】
【０００５】
本発明は、上記従来の凧が有する問題点に鑑み、凧の構成部材を自由に選択できるようにすることにより、デザイン形状の変化を楽しむとともに、飛行特性の変化を楽しむことができる凧を提供することを目的とする。
【課題を解決するための手段】
【０００６】
上記目的を達成するため、本発明の凧は、凧の本体に、頭部、主翼の翼端及び尾翼を取り付ける凧において、前記頭部、主翼の翼端及び尾翼を予め複数種類用意しておき、これらを選択して取り付けるように構成したことを特徴とする。
【０００７】
この場合において、本体側の骨部と、頭部、主翼の翼端及び尾翼側の骨部とを着脱可能に構成するとともに、本体側の凧紙と、頭部、主翼の翼端及び尾翼側の凧紙とを着脱可能に構成することができる。
【０００８】
また、尾翼を遠隔操作で揺動させる駆動機構を装着することができる。
【発明の効果】
【０００９】
本発明の凧によれば、凧の本体に、頭部、主翼の翼端及び尾翼を取り付ける凧において、前記頭部、主翼の翼端及び尾翼を予め複数種類用意しておき、これらを選択して取り付けるようにしたことから、頭部、主翼及び尾翼の形状を容易には変化させることができ、これにより、デザイン形状の変化を楽しむと同時に、飛行特性の変化を容易に楽しむことができる。
【００１０】
また、本体側の骨部と、頭部、主翼の翼端及び尾翼側の骨部とを着脱可能に構成するとともに、本体側の凧紙と、頭部、主翼の翼端及び尾翼側の凧紙とを着脱可能に構成することにより、頭部、主翼の翼端及び尾翼を簡単かつ確実に取り付けることができる。
【００１１】
また、尾翼を遠隔操作で揺動させる駆動機構を装着することにより、遠隔操作で尾翼の角度を変え、飛行の方向性を自在にコントロールすることができる。
【発明を実施するための最良の形態】
【００１２】
以下、本発明の凧の実施の形態を、図面に基づいて説明する。
【実施例１】
【００１３】
図１〜図２に、本発明の凧の第１実施例を示す。
この凧は、凧の本体１に、頭部２、主翼３及び尾翼４を備えることにより、鳥のような形状をなしたもので、凧の構成部材である頭部２、主翼３の翼端５及び尾翼４を、予め複数種類用意しておき、これらを選択して取り付けることができるように構成している。
【００１４】
本体１側の骨部６と、頭部２、主翼３の翼端５及び尾翼４側の骨部６とは、図示省略するが、例えば、スリーブと該スリーブに挿入される軸のように、簡易に着脱できるように構成されている。
また、本体１側の凧紙７と、頭部２、主翼３の翼端５及び尾翼４側の凧紙７とは、面ファスナー、両面粘着テープ（図示省略）等により、簡易に着脱できるように構成されている。
一般に、主翼３の形状と尾翼４の形状の変化は上昇力と安定性に関係し、これらの形状変更により、安定して飛行したり、左右の揺れや回転などの運動性を自由に与えることができる。
【実施例２】
【００１５】
図３〜図４に、本発明の凧の第２実施例を示す。
この凧は、上記第１実施例の凧に、ラジオコントロール等の遠隔操作で尾翼４を水平面内で揺動させる駆動機構８を装着するようにしている。
駆動機構８は、モータ８１や減速機構８２等を備え、地上から遠隔操作でモータ８１を駆動することにより、ラダーのように尾翼４の角度を変え、飛行の方向性を自在に変更することができる。
【００１６】
なお、凧の製作時の工作誤差により、左右いずれかに傾いて飛行する場合の修正方法としては、傾いた翼の反対側(上側)の翼前縁部分に発泡ポリスチレンや軽量の骨を貼り付けることで、揚力の調整を行い左右のバランスをとることができる。
これは、傾いた側の翼の前縁の下部(骨部の貼り付けられた凧紙の表側)に取り付けてもよい。
【００１７】
かくして、上記各実施例の凧は、凧の本体１に、頭部２、主翼３の翼端５及び尾翼４を取り付ける凧において、頭部２、主翼３の翼端５及び尾翼４を予め複数種類用意しておき、これらを選択して取り付けるようにしたことから、頭部２、主翼３及び尾翼４の形状を容易には変化させることができ、これにより、デザイン形状の変化を楽しむと同時に、飛行特性の変化を容易に楽しむことができる。
【００１８】
また、本体１側の骨部６と、頭部２、主翼３の翼端５及び尾翼４側の骨部６とを着脱可能に構成するとともに、本体１側の凧紙７と、頭部２、主翼３の翼端５及び尾翼４側の凧紙７とを着脱可能に構成することにより、頭部２、主翼３の翼端５及び尾翼４を簡単かつ確実に交換することができる。
【００１９】
さらに、尾翼４を遠隔操作で揺動させる駆動機構８を装着することにより、遠隔操作で尾翼４の角度を変え、飛行の方向性を自在にコントロールすることができる。
【００２０】
以上、本発明の凧について、複数の実施例に基づいて説明したが、本発明は上記実施例に記載した構成に限定されるものではなく、その趣旨を逸脱しない範囲において適宜その構成を変更することができる。
【産業上の利用可能性】
【００２１】
以上、本発明の凧は、凧の構成部材を自由に選択できるようにすることにより、デザイン形状の変化を楽しむとともに、飛行特性の変化を楽しむことができることから、積極的にこの特性の変化を利用し、ユーザーが任意に翼端や尾翼などの着脱を行い、デザイン形状の変化を楽しむとともに、飛行特性の変化を楽しむことができる。
【図面の簡単な説明】
【００２２】
【図１】本発明の凧の第１実施例を示す分解斜視図である。
【図２】同分解平面図である。
【図３】本発明の凧の第２実施例を示す側面図である。
【図４】同実施例の駆動機構を示す構造図である。
【符号の説明】
【００２３】
１    本体
２    頭部
３    主翼
４    尾翼
５    主翼の翼端
６    骨部
７    凧紙
８    駆動機構
８１  モータ
８２  減速機構
【図１】
2006296765.tif 000003
【図２】
2006296765.tif 000004
【図３】
2006296765.tif 000005
【図４】
2006296765.tif 000006